(57)【要約】【課題】  被験者に２個のカフを装着するだけで自動的に血液の粘性度が測定できる簡易な測定装置を提供する。【解決手段】  被験者の身体に取付けて血圧の測定を行う第１カフ１０と、前記第１カフ１０と所定の距離を有して取付けた第２カフ２０を構成し、前記第１カフ１０と第２カフ２０に前記距離の測定手段１５、２５を構成すると共に、前記第１カフ１０と第２カフ２０によって測定された血圧に関するデータに基づいて血液の粘性度を計算する演算手段５０を構成した。【選択図】図１
2008295657.tif 000002
【特許請求の範囲】
【請求項１】
被験者の身体に取付けて血圧の測定を行う第１カフと、前記第１カフと所定の距離を有して取付けた第２カフを構成し、前記第１カフと第２カフに前記距離の測定手段を構成すると共に、前記第１カフと第２カフによって測定された血圧に関するデータに基づいて血液の粘性度を計算する演算手段を構成した血液粘性度測定装置。
【発明の詳細な説明】
【技術分野】
【０００１】
本発明は、血液の粘性度を簡易に測定する装置に関するものである。
【背景技術】
【０００２】
従来より、一度の測定で血圧および血液粘性度を同時に算出する装置が提案されていた。
例えば特許文献１に示す発明は、外部静水圧と血流量とから血圧および血液粘度を測定する装置である。
この発明によれば、空気ポンプ２を制御して、指Ｆに巻かれたカフ１により２段階のカフ圧を与え、各カフ圧における血流量を血流量センサ５により検出する。カフ圧は圧力センサ４により検出される。
【特許文献１】特開２００５−２１８５０１
【０００３】
そして、コントローラ７の記憶部７ｂに、血圧および血液粘性度を測定演算プログラムが格納され、コントローラ７の演算部７ａによって、検出された２段階のカフ圧およびそのときの血流量を用いて、血圧・血液粘度演算プログラムにより血圧および血液粘性度を算出するものである。
【発明の開示】
【発明が解決しようとする課題】
【０００４】
前記血圧・血液粘度測定装置によれば、被験者の最高・最低血圧値を予め別の血圧計で測定しておき、その測定結果を被験者の初期データとして記憶させる必要があるため操作が煩雑であると共に、血流量の測定は一般に困難であるという問題もあった。
【０００５】
本発明は上記の点に鑑みなされたものであり、被験者に２個のカフを所定の距離をおいて装着するだけで自動的に血液の粘性度が測定できる簡易な測定装置を提供するものである。
【課題を解決するための手段】
【０００６】
本発明の要旨とするところは、被験者の身体に取付けて血圧の測定を行う第１カフと、前記第１カフと所定の距離を有して取付けた第２カフを構成し、前記第１カフと第２カフに前記距離の測定手段を構成すると共に、前記第１カフと第２カフによって測定された血圧に関するデータに基づいて血液の粘性度を計算する演算手段を構成した血液粘性度測定装置である。
【発明の効果】
【０００７】
本発明は上記の如き構成であるため、被験者に装着した第１カフと第２カフの距離の測定値と、２個のカフから得られる血圧に関するデータから自動的に血液の粘性度を計算できるため、操作が簡易で正確な血液粘性度が測定できるのである。
【発明を実施するための最良の形態】
【０００８】
本発明を実施するための最良の形態は、被験者の腕の上腕部に取付けて血圧の測定を行う第１カフと、前記第１カフと所定の距離を有して手首に取付けて血圧の測定を行う第２カフを構成すると共に、前記第１カフと第２カフに前記距離を自動的に測定できる赤外線の測定手段を構成する。そしてこの測定された距離と、前記第１カフと第２カフによって測定された血圧の差等に基づいて血液の粘性度を計算する演算手段を構成した血液粘性度測定装置である。
【０００９】
以下、本発明の一実施形態を図に基づいて説明する。
図１は使用態様を示す説明図、図２は同一部拡大図、図３は回路構成例を示すブロック図及び図４は測定手順を示すフローチャートである。
【００１０】
本実施形態は、図１に示すように卓上に置いて使用する血液粘性度測定装置の操作部３０と、この操作部３０とチューブ１１を介して連結された第１カフ１０と、チューブ２１を介して連結された第２カフ２０からなる。
【００１１】
前記第１カフ１０は、卓上に置いて腕Ａの上腕部の血圧を測定するものであり、第２カフ２０は手首に巻装してその部分の血圧を測定するものである。
この第２カフ２０には赤外線発信機２５を構成し、第１カフ１０には赤外線受信機１５を構成してあり、この赤外線発信機２５と赤外線受信機１５で測定部位の血管の長さを検出するのである。
【００１２】
前記操作部３０の内部には、第１カフ１０、第２カフ２０の各々にエアを送って加圧したり、あるいは減圧するポンプ部１８、２８と、第１カフ１０、第２カフ２０にかかる圧力を検出する圧力センサ１３、２３が内蔵されている。
さらに前記操作部３０の内部には第１カフ１０、第２カフ２０から送られてきた血圧等のデータを計算する演算手段を備えたＣＰＵ５０やプリンター（図示せず）を備えている。
【００１３】
前記操作部３０の表面には、測定装置のオンオフ用のメインスイッチ３１、血圧測定を開始する測定スイッチ３２、血圧や粘性度等の測定結果を表示したり各種の指示を表示する表示部３３、テンキー３４及び測定データをプリントした記録紙の取出口３５を備えている。
【００１４】
次に、本実施形態の作用について説明する
図１、図２に示すように、被験者はメインスイッチ３１をオンにしてから腕Ａを第１カフ１０に通し手首に第２カフ２０を巻装し、その後測定スイッチ３２をオンにして測定装置を作動せしめる。これにより上腕部と手首の血圧値が得られる。
その後演算手段であるＣＰＵ５０によって血液の粘性度が計算され、そのデータは表示部３３に表示され、あるいはプリントアウトされるのである。
【００１５】
次に本実施形態による血液粘性度の算出方法について説明する。本実施形態の測定方法は、ハーゲン・バアズイユの法則に基づいている。すなわち、２個のカフを所定の距離を有して取り付け、その第１カフ１０、第２カフ２０によって得られる血圧の圧力差を基準として計算されるものである。  
【００１６】
（ステップＳ１）
メインスイッチ３１をオンにした後、ステップＳ１で被験者の個人情報である定数を読み込む。この定数は次に示すものである。
【数１】
2008295657.tif 000003
【００１７】
（ステップＳ２）
このとき、前記定数を予めＣＰＵ５０に記憶させてある場合には、ステップＳ２で予め決めてあるメモリー番号を入れてステップ６へ進む。
【００１８】
（ステップＳ３）
前記定数を予めＣＰＵ５０に記憶させてない場合には、表示部３３に表示される指示に従って、被験者の定数、すなわち性別、体重、身長、血液密度をテンキー３４によって入力する。この場合、血液密度は血球と血漿の成分により変動するが、一般的には１．０５０〜１．０６０である。
【００１９】
（ステップＳ４）
前記入力した被験者の定数をＣＰＵ５０に記憶させる場合には、新たなメモリー番号を入力してその定数の内容を記憶させてステップＳ５からステップＳ６に進む。また、記憶させない場合にはそのままステップＳ６に進む。
【００２０】
（ステップＳ６）
次に、被験者の腕Ａの上腕部に第１カフ１０を装着した後、手首に第２カフ２０を装着する。これは通常のカフの装着と同様に行う。
【００２１】
（ステップＳ７）
その後、測定スイッチ３２をオンにする。これによってポンプ部１８、２８からそれぞれチューブ１１、２１を介して第１カフ１０と第２カフ２０にエアが送られて下記に示す測定項目の測定が開始される。
【数２】
2008295657.tif 000004
【００２２】
（ステップＳ８）
前記測定は、まずＣＰＵ５０からの指示で第２カフ２０に取付けた赤外線発信機２５より赤外線が発信され、第１カフ１０に取付けた赤外線受信機１５で受信される。これによって両カフ１０、２０間の距離すなわち測定血管長Ｌが測定される。
【００２３】
（ステップＳ９）
操作部３０に内蔵した圧力センサ１３、２３は増幅器等を備えてＣＰＵ５０と接続しているから、第１カフ１０と第２カフ２０によって検出されたデータはＣＰＵ５０に取り込まれる。これによって、脈拍数、中枢部最高血圧、中枢部最低血圧、抹消部最高血圧、抹消部最低血圧が測定されるのである。
【００２４】
（ステップＳ１０）
次に、前記ステップＳ２，Ｓ３で入力された定数とステップＳ８、Ｓ９で測定された測定項目の数値に基づいてＣＰＵ５０に備えた演算手段によって演算が行われる。ここで使用される物理量・指数は下記の数式に示すものである。
【数３】
2008295657.tif 000005
前記の演算で得られた値に基づいて、次の数式によって血液の粘性度が計算される。
【数４】
2008295657.tif 000006
これ以外にも血液の粘性度（簡便値）の計算に次の数式を用いることもできる。
【数５】
2008295657.tif 000007
前記血液の粘性度及びその簡便値を求める数式に使用された、定数ｋ，ｋｋは、サンプリングで決定する。
【００２５】
（ステップＳ１１）
前記のステップＳ１０によって得られた数値のうち、血液の粘性度、脈拍数、中枢部最高血圧、中枢部最低血圧、ＢＭＩ指数が表示部３３に表示される。なお、これ以外の数値を表示することもできる。
【００２６】
（ステップＳ１２）
前記表示された数値をプリントする場合には、表示部３３の指示に従って必要なテンキー３４を押すなどして、ステップＳ１３でプリントして記録紙を取出口３５より取り出して終了となる。プリントアウトしない場合にも終了となる。
【００２７】
前記ステップＳ１０によって得られた血液の粘性度を段階的に分類して健康の目安とすることができる。発明者は次の対象者からサンプリングデータを収集した。
対象者  健常者２００例
内訳    男性  ７９例
女性    １２１例
年齢    １３〜８７歳（平均年齢  ３９．５歳）
上記のすべての対象者に対し本実施形態の血液粘性度測定装置を使用して、前述の定数、測定項目等を入力、演算して２００例のサンプリングデータを収集したところ血液の粘性度について次の値を得た。なお、これは血液の粘性度（簡便値）によって計算したものである。
最小０  
最大１７６  
平均３４．８  
標準偏差３１．８
【００２８】
前記サンプリングデータに基づく血液の粘性度の分布に基づき、血液のさらさら度を６段階に分類した。これによって本実施形態の血液粘性度測定装置を使用して自己の血液のさらさら度を容易に知ることができ、健康の指針にできるのである。
血液の粘性度  ＜５    さらさら度６
血液の粘性度  ＜１５  さらさら度５（標準）
血液の粘性度  ＜２５  さらさら度４
血液の粘性度  ＜３５  さらさら度３
血液の粘性度  ＜４５  さらさら度２
血液の粘性度  ４５≦  さらさら度１
【図面の簡単な説明】
【００２９】
【図１】本発明の一実施形態の使用態様を示す説明
【図２】本発明の一実施形態の一部拡大図
【図３】本発明の一実施形態の回路構成例を示すブロック図
【図４】本発明の一実施形態の測定手順を示すフローチャート
【符号の説明】
【００３０】
１０  第１カフ
１１  チューブ
１３  圧力センサ
１８  ポンプ部
２０  第２カフ
２１  チューブ
２３  圧力センサ
２８  ポンプ部
３０  操作部
３１  メインスイッチ
３２  測定スイッチ
３３  表示部
３４  テンキー
３５  取出口
５０  ＣＰＵ（演算手段）
【図１】
2008295657.tif 000008
【図２】
2008295657.tif 000009
【図３】
2008295657.tif 000010
【図４】
2008295657.tif 000011